(57)【要約】【課題】音響信号に対して振動板の振幅動作を忠実に行わせることができるとともに、キャビネットの振動を低減させることができ、従来よりも音質を一層向上させることのできるスピーカ装置を提供すること。【解決手段】第１の開口部１１と第２の開口部１２とが第１の空間１４を隔てて配置されるように形成されたキャビネット１０と、第１の開口部１１に振動板面が外方向に向けて配設されるメインスピーカ２０と、第２の開口部１２に振動板面が外方向に向けて配設されるサブスピーカ３０とを備え、第１の開口部１１と第２の開口部１２とが、メインスピーカ２０の中心軸とサブスピーカ３０の中心軸との外方向に対する向きが正反対とならない位置に形成されるとともに、メインスピーカ２０とサブスピーカ３０とに同じ信号が逆相で供給され、第１の空間１４内の圧力変化が生じないようにメインスピーカ２０とサブスピーカ３０とが駆動される。【選択図】  図１
2004343286.tif 000002
【特許請求の範囲】
【請求項１】
第１の開口部と第２の開口部とが第１の空間を隔てて配置されるように形成された第１のキャビネットと、
前記第１の開口部に振動板面が外方向に向けて配設されるメインスピーカと、
前記第２の開口部に振動板面が外方向に向けて配設されるサブスピーカとを備え、
前記第１の開口部と前記第２の開口部とが、前記メインスピーカの中心軸と前記サブスピーカの中心軸との外方向に対する向きが正反対とならない位置に形成されるとともに、
前記メインスピーカと前記サブスピーカとに同じ信号が逆相で供給され、前記第１の空間内の圧力変化が生じないように前記メインスピーカと前記サブスピーカとが駆動されることを特徴とするスピーカ装置。
【請求項２】
前記第１の開口部と前記メインスピーカとの間、及び前記第２の開口部と前記サブスピーカとの間に緩衝部材が介装されていることを特徴とする請求項１記載のスピーカ装置。
【請求項３】
前記メインスピーカの磁気回路部を前記第１の空間内で支持する第１の支持部材と、
前記サブスピーカの磁気回路部を前記第１の空間内で支持する第２の支持部材とを備え、
前記メインスピーカの磁気回路部と前記第１の支持部材との間、及び／又は前記第１の支持部材と前記第１のキャビネットとの間に緩衝部材が介装され、さらに前記サブスピーカの磁気回路部と前記第２の支持部材との間、及び／又は前記第２の支持部材と前記第１のキャビネットとの間に緩衝部材が介装されていることを特徴とする請求項２記載のスピーカ装置。
【請求項４】
前記第１の開口部に配設された前記メインスピーカを外方向に向けて配置するための第３の開口部を有し、前記第１の開口部を除く前記第１のキャビネット全体を第２の空間を隔てて覆う第２のキャビネットと、
前記第１のキャビネットを前記第２のキャビネット内で支持する第３の支持部材とを備え、
前記第１の開口部と前記第３の開口部との間、前記第１のキャビネットと前記第３の支持部材との間、及び／又は前記第３の支持部材と前記第２のキャビネットとの間に緩衝部材が介装されていることを特徴とする請求項１〜３のいずれかの項に記載のスピーカ装置。
【請求項５】
前記第１のキャビネットの前記第１の開口部を含む所定部分を外部に露出させて配置するための第４の開口部を有し、前記第１のキャビネットの前記第２の開口部を含む所定部分を第３の空間を隔てて覆う第３のキャビネットを備え、
前記第４の開口部と前記第１のキャビネットとの間に緩衝部材が介装されていることを特徴とする請求項１〜３のいずれかの項に記載のスピーカ装置。
【請求項６】
前記第１のキャビネットの前記第２の開口部の前方から後方にわたる第４の空間を有する第４のキャビネットを備え、
前記第４の空間が前記第１の空間の容積と略同容積となるように形成されていることを特徴とする請求項１〜３のいずれかの項に記載のスピーカ装置。
【発明の詳細な説明】
【０００１】
【発明の属する技術分野】
本発明はスピーカ装置に関し、より詳細には音質の改善を図ることのできるスピーカ装置に関する。
【０００２】
【従来の技術】
図８は、従来のスピーカ装置を模式的に示した側面断面図である。
スピーカ装置１００は、内部が２つの空間１０１、１０２に分割されたキャビネット１０３と、振動板面が外方向に向けて空間１０１内に収容配置されたメインスピーカ（放音用）１０５と、振動板面が空間１０１に向けて空間１０２内に収容配置されたサブスピーカ（気圧制御用）１０６とを含んで構成されている。
【０００３】
信号源（図示せず）からの音響信号は、パワーアンプ（図示せず）を介して両スピーカ１０５、１０６に供給され、両スピーカ１０５、１０６が同相駆動されるようになっている。すなわち、メインスピーカ１０５の振動板が外方向（実線矢印方向）に移動するときは、サブスピーカ１０６の振動板も空間１０１の方向（実線矢印方向）に移動して空間１０１の容積増大が抑えられるようになっている。また、メインスピーカ１０５の振動板が空間１０２の方向（破線矢印方向）に移動するときは、サブスピーカ１０６の振動板は空間１０２の方向（破線矢印方向）に移動して空間１０１の容積減少が抑えられるようになっている。
このような、スピーカ装置１００によれば、キャビネット内空間の等価容積が拡大されて、低音再生特性が向上するとしている（下記の特許文献１参照）。
【０００４】
また図９は、従来の別のスピーカ装置を模式的に示した側面断面図である。
スピーカ装置１１０は、中空で円柱状のキャビネット１１１と、キャビネット１１１の両端部に互いに背中合わせになるように配置された２つのスピーカ１１２、１１３と、スピーカ１１２の磁気回路１１２ａの背面とスピーカ１１３の磁気回路１１３ａの背面とを固定するリブ１１４とを含んで構成されている。
【０００５】
各スピーカ１１２、１１３には、同相の音響信号が供給されるようになっており、同相の音響信号を各スピーカ１１２、１１３に供給することにより、スピーカ１１２の振動板が外方向（実線矢印方向）に移動するときは、スピーカ１１３の振動板も外方向（実線矢印方向）に移動し、またスピーカ１１２の振動板が内方向（破線矢印方向）に移動するときには、スピーカ１１３の振動板も内方向（破線矢印方向）に移動することとなり、スピーカの磁気回路を構成するヨークの振動がリブ１１４を介して相殺されるようになっている。
このようなスピーカ装置１１０によれば、ヨーク（磁気回路部分）の振動を効率よく抑えて、振動板の音響変換効率を高めることが可能になるとされている（下記の特許文献２参照）。
【０００６】
【特許文献１】
実開平５−９７１９７号公報
【特許文献２】
特開２００１−３５２５９２号公報
【０００７】
【発明が解決しようとする課題】
上記特許文献１記載のスピーカ装置１００によれば、メインスピーカ１０５の振動板背面の空気抵抗を小さくすることができ、すなわち、メインスピーカ１０５の振動板が前後面で受ける圧力不均衡を小さくすることができ、音響信号に対するメインスピーカ１０５の振動板の振幅動作の忠実度を高めることが可能になるが、メインスピーカ１０５とサブスピーカ１０６とが、同一軸上に向きを同じくして配置され、同相駆動されるので、各スピーカ１０５、１０６からキャビネット１０３に伝わる振動が倍加されて、スピーカ１０５、１０６からキャビネット１０３へ伝わる不要振動による音質低下が大きくなってしまうという課題があった。
【０００８】
また、上記特許文献２記載のスピーカ装置１１０では、各スピーカ１１２、１１３からキャビネット１１１へ伝わる振動を低減させる効果を高めることができるものの、各スピーカ１１２、１１３の振動板が受ける背圧負荷が大きくなり、音響信号に対して忠実な振動板の振幅動作を再現させることが難しくなり、音響特性を向上させることが難しいという課題があった。
【０００９】
本発明は上記課題に鑑みなされたものであって、音響信号に対して振動板の振幅動作を忠実に行わせることができるとともに、キャビネットの振動を低減させることができ、従来よりも音質を一層向上させることのできるスピーカ装置を提供することを目的としている。
【００１０】
【課題を解決するための手段及びその効果】
上記目的を達成するために本発明に係るスピーカ装置（１）は、第１の開口部と第２の開口部とが第１の空間を隔てて配置されるように形成された第１のキャビネットと、前記第１の開口部に振動板面が外方向に向けて配設されるメインスピーカと、前記第２の開口部に振動板面が外方向に向けて配設されるサブスピーカとを備え、前記第１の開口部と前記第２の開口部とが、前記メインスピーカの中心軸と前記サブスピーカの中心軸との外方向に対する向きが正反対とならない位置に形成されるとともに、前記メインスピーカと前記サブスピーカとに同じ信号が逆相で供給され、前記第１の空間内の圧力変化が生じないように前記メインスピーカと前記サブスピーカとが駆動されることを特徴としている。
【００１１】
上記スピーカ装置（１）によれば、前記メインスピーカと前記サブスピーカとに同じ信号が逆相で供給され、前記第１の空間内の圧力変化が生じないように前記メインスピーカと前記サブスピーカとが駆動される。したがって、前記メインスピーカが受ける背圧負荷がなくなり、前記メインスピーカの振動板の振幅動作が音響信号に対してリニアに行われるようになり、音響信号に対する振動板の振幅動作の忠実度を高めることができ、音響特性の向上を図ることができる。
【００１２】
また前記メインスピーカから前記第１のキャビネットへ伝わる振動と、前記サブスピーカから前記第１のキャビネットへ伝わる振動との位相が逆になっているので、各スピーカからの振動が前記第１のキャビネットを伝わる段階で相殺される。したがって、各スピーカの駆動時に前記第１のキャビネットに伝達された振動が即座に消滅することとなり、前記第１のキャビネットの振動に伴う不要音の発生を抑制し、音質の劣化を防止することができる。
つまり、前記各スピーカの振動板の振幅動作特性の向上（背圧負荷をなくすこと）による音質向上と前記第１のキャビネットに伝達される振動の消滅による音質向上とを同時に実現することができ、一層の音質向上を図ることができる。
【００１３】
また本発明に係るスピーカ装置（２）は、上記スピーカ装置（１）において、前記第１の開口部と前記メインスピーカとの間、及び前記第２の開口部と前記サブスピーカとの間に緩衝部材が介装されていることを特徴としている。
【００１４】
上記スピーカ装置（２）によれば、前記緩衝部材により前記メインスピーカと前記サブスピーカとが前記第１のキャビネットに対してフローティング状態で支持されるので、前記メインスピーカや前記サブスピーカから前記キャビネットへ伝わる振動を大幅に低減することができる。したがって、前記第１のキャビネットに伝達された振動をより速やかに消滅させることができ、前記第１のキャビネットからの不要音の発生を阻止して、音質の劣化を防止することができる。
【００１５】
また本発明に係るスピーカ装置（３）は、上記スピーカ装置（２）において、前記メインスピーカの磁気回路部を前記第１の空間内で支持する第１の支持部材と、前記サブスピーカの磁気回路部を前記第１の空間内で支持する第２の支持部材とを備え、前記メインスピーカの磁気回路部と前記第１の支持部材との間、及び／又は前記第１の支持部材と前記第１のキャビネットとの間に緩衝部材が介装され、さらに前記サブスピーカの磁気回路部と前記第２の支持部材との間、及び／又は前記第２の支持部材と前記第１のキャビネットとの間に緩衝部材が介装されていることを特徴としている。
【００１６】
上記スピーカ装置（３）によれば、前記第１の支持部材により前記メインスピーカの磁気回路部が支持され、また前記第２の支持部材により前記サブスピーカの磁気回路部が支持されるので、前記磁気回路部が支持されていない場合にスピーカの振動板の振幅動作に伴い発生する前記磁気回路部の振動を低減することができ、各スピーカの振動板から空気へのエネルギ伝達効率の低下を防止することができ、音質特性を向上させることができる。
また、前記緩衝部材により、各スピーカの磁気回路部から前記第１のキャビネットへ伝わる振動を大幅に低減することができ、前記第１のキャビネットの振動による音質の低下を防止することができる。
【００１７】
また本発明に係るスピーカ装置（４）は、上記スピーカ装置（１）〜（３）のいずれかにおいて、前記第１の開口部に配設された前記メインスピーカを外方向に向けて配置するための第３の開口部を有し、前記第１の開口部を除く前記第１のキャビネット全体を第２の空間を隔てて覆う第２のキャビネットと、前記第１のキャビネットを前記第２のキャビネット内で支持する第３の支持部材とを備え、前記第１の開口部と前記第３の開口部との間、前記第１のキャビネットと前記第３の支持部材との間、及び／又は前記第３の支持部材と前記第２のキャビネットとの間に緩衝部材が介装されていることを特徴としている。
【００１８】
上記スピーカ装置（１）〜（３）では、前記メインスピーカから出力される音と、前記サブスピーカから出力される音との位相が逆になっているので、特に指向性の広い低音域においては音が打ち消されてしまうこともあるが、上記スピーカ装置（４）によれば、前記第２のキャビネットにより前記メインスピーカが配設される前記第１の開口部を除く前記第１のキャビネット全体が前記第２の空間を隔てて覆われる構成となっているので、前記第２のキャビネット前面に対しては前記メインスピーカからのみ音が出力され、前記サブスピーカの前面から出た音は、前記第２のキャビネット内で位相を反転させて出力させることも可能になり、低音再生限度の拡大を図ることができる。
【００１９】
また、前記第３の支持部材により前記第１のキャビネットが前記第２のキャビネット内に支持され、前記緩衝部材により、前記第１のキャビネットの振動が前記第２のキャビネットへ伝わることを防止することができ、前記第２のキャビネットの不要振動による音質低下を防止することができる。
【００２０】
また本発明に係るスピーカ装置（５）は、上記スピーカ装置（１）〜（３）のいずれかにおいて、前記第１のキャビネットの前記第１の開口部を含む所定部分を外部に露出させて配置するための第４の開口部を有し、前記第１のキャビネットの前記第２の開口部を含む所定部分を第３の空間を隔てて覆う第３のキャビネットを備え、前記第４の開口部と前記第１のキャビネットとの間に緩衝部材が介装されていることを特徴としている。
【００２１】
上記スピーカ装置（５）によれば、上記スピーカ装置（４）と略同様の効果を得ることができるとともに、前記第３の支持部材が必要なく、前記第１のキャビネットと前記第３のキャビネットとの組み付けを簡単に行うことができる。
【００２２】
また本発明に係るスピーカ装置（６）は、上記スピーカ装置（１）〜（３）のいずれかにおいて、前記第１のキャビネットの前記第２の開口部の前方から後方にわたる第４の空間を有する第４のキャビネットを備え、前記第４の空間が前記第１の空間の容積と略同容積となるように形成されていることを特徴としている。
【００２３】
上記スピーカ装置（６）によれば、前記第４の空間が前記第１の空間の容積と略同容積となるように形成されているので、前記サブスピーカに作用していた背圧負荷をなくすことができ、よりリニアにスピーカを駆動させることができる。
【００２４】
【発明の実施の形態】
以下、本発明に係るスピーカ装置の実施の形態を図面に基づいて説明する。図１は、実施の形態（１）に係るスピーカ装置を模式的に示した側面断面図である。
【００２５】
図中１０は、スピーカが収容されるキャビネットを示しており、キャビネット１０前面には、円形の第１の開口部１１と第２の開口部１２とが形成されている。キャビネット１０前面の略中央部分からは、キャビネット１０内を上下に部分的に仕切る仕切り板１３が水平方向に延設されており、キャビネット１０の後方部分は断面視円弧状に形成され、第１の開口部１１と第２の開口部１２とが第１の空間１４を隔てて配置されるように形成されている。
【００２６】
第１の開口部１１には、振動板２１、ボイスコイル（図示せず）、磁気回路部２２、及びこれらを連結するフレーム２３等を含んで構成されるメインスピーカ２０が振動板面を外方向に向けて配設されており、第２の開口部１２には、メインスピーカ２０と同じ構成のサブスピーカ３０が振動板面を外方向に向けて配設されており、キャビネット１０とメインスピーカ２０とサブスピーカ３０とを含んでスピーカ装置１が構成されている。
【００２７】
メインスピーカ２０とサブスピーカ３０とには、同じ音響信号が逆相で供給されるようにアンプ（図示せず）の出力端子が接続されるようになっている（すなわち、アンプの出力端子の極性（＋、−）をメインスピーカ２０とサブスピーカ３０とで逆になるように接続する）。
【００２８】
このようなスピーカ装置１において、メインスピーカ２０とサブスピーカ３０とに同じ信号が逆相で供給されると、メインスピーカ２０の振動板２１が外方向（実線矢印方向）に移動するときは、サブスピーカ３０の振動板は第１の空間１４方向（実線矢印方向）に移動し、また、メインスピーカ２０の振動板２１が第１の空間１４方向（破線矢印方向）に移動するときは、サブスピーカ３０の振動板は外方向（破線矢印方向）に移動する。
【００２９】
したがって、第１の空間１４内の圧力変化が生じないようにメインスピーカ２０とサブスピーカ３０とが駆動されることとなり、メインスピーカ２０の振動板２１が受ける背圧負荷がなくなり、メインスピーカ２０の振動板２１の振幅動作が音響信号に対してリニアに行われるようになり、音響信号に対する振動板の振幅動作の忠実度が高められ、音質が向上することとなる。
【００３０】
また、スピーカ装置１の駆動時にメインスピーカ２０で発生した振動は、フレーム２３を介してキャビネット１０の第１の開口部１１から後方へ伝わり、またサブスピーカ３０で発生した振動は、フレームを介してキャビネットの第２の開口部１２から後方へ伝わる。
【００３１】
スピーカ装置１では、メインスピーカ２０からキャビネット１０へ伝わる振動と、サブスピーカ３０からキャビネット１０へ伝わる振動との位相が逆になっているので、各スピーカ２０、３０からの振動がキャビネット１０を伝わっていく段階で相殺され、キャビネット１０に伝達された振動が即座に消滅することとなり、キャビネット１０からの不要音の発生が抑制される。
【００３２】
上記実施の形態（１）に係るスピーカ装置１によれば、メインスピーカ２０に作用していた背圧負荷をなくすことによる（すなわち、振動板の振幅動作特性の向上による）音質向上と、メインスピーカ２０とサブスピーカ３０とから伝わる振動がキャビネット１０で相殺されることによる（すなわち、キャビネット１０に伝達される振動の消滅による）音質向上とを同時に実現することができ、従来より一層の音質向上を図ることができる。
【００３３】
なお、上記実施の形態（１）に係るスピーカ装置１では、第１の開口部１１と第２の開口部１２とが、同一平面に形成されている場合について説明したが、第１の開口部１１と第２の開口部１２とは、メインスピーカ２０の中心軸とサブスピーカ３０の中心軸との外方向に対する向きが正反対とならない位置に形成されるようになっていればよく、種々の形態のキャビネットに適用することができる。
【００３４】
図２は実施の形態（２）に係るスピーカ装置を模式的に示した側面断面図である。但し実施の形態（２）に係るスピーカ装置１Ａについては、キャビネット１０の第１の開口部１１及び第２の開口部１２と、メインスピーカ２０及びサブスピーカ３０との間に緩衝部材４０が介装されている点を除いて図１に示したスピーカ装置１と略同様であるため、ここでは同一機能を有する構成部品には同一符号を付して、その説明を省略することとする。
【００３５】
キャビネット１０の第１の開口部１１周縁部とメインスピーカ２０のフレーム２３外周部との間、及びキャビネット１０の第２の開口部１２周縁部とサブスピーカ３０のフレーム外周部との間に、それぞれ断面Ｌ字形の環状の緩衝部材４０が介装されている。
【００３６】
緩衝部材４０は、クッション性を有し、振動吸収性に優れた材質のものであればよく、例えば、不織布などの合成繊維の圧縮体や発泡ウレタンなどの発泡性樹脂等を使用することができる。
【００３７】
キャビネット１０の第１の開口部１１周縁部と緩衝部材４０とメインスピーカ２０のフレーム２３外周部とは、数カ所でねじ止めされるようになっており、同様にキャビネット１０の第２の開口部１２周縁部と緩衝部材４０とサブスピーカ３０のフレーム外周部とは、数カ所でねじ止めされるようになっている。
【００３８】
上記実施の形態（２）に係るスピーカ装置１Ａによれば、緩衝部材４０によりメインスピーカ２０とサブスピーカ３０とがキャビネット１０に対してフローティング状態で支持されるので、メインスピーカ２０やサブスピーカ３０からキャビネット１０へ伝わる振動を大幅に低減することができる。したがって、キャビネット１０に伝達された振動をより速やかに消滅させることができ、キャビネット１０からの不要音の発生を阻止して、音質の劣化を効果的に防止することができる。
【００３９】
図３は実施の形態（３）に係るスピーカ装置を模式的に示した側面断面図である。但し実施の形態（３）に係るスピーカ装置１Ｂの構成については、各スピーカの磁気回路部を支持する支持部材５０Ａ、５０Ｂが設けられている点を除いて図２に示したスピーカ装置１Ａと略同様であるため、ここでは同一機能を有する構成部品には同一符号を付して、その説明を省略することとする。
【００４０】
キャビネット１０の第１の空間１４内における第１の開口部１１の後方位置には、メインスピーカ２０の磁気回路部２２を支持する支持部材５０Ａが設けられている。図４は、支持部材５０Ａを模式的に示した（ａ）正面図、（ｂ）側面図である。
【００４１】
支持部材５０Ａは、アルミニウムや亜鉛等の非磁性体の金属から形成されており、メインスピーカ２０の磁気回路部２２を嵌め込むための嵌込孔５１が形成された嵌め込み部５２と、嵌め込み部５２から延設された３本の角柱状の支柱５３とから構成されており、嵌め込み部５２の嵌込孔５１の内壁には、緩衝部材４０と同じ機能を有する緩衝部材４１が設けられるようになっている。
各支柱５３の先端面は、緩衝部材４０と同じ機能を有する緩衝部材４２を介してキャビネット１０内壁及び仕切り板１３に固定されるようになっている。
【００４２】
また、キャビネット１０の第１の空間１４内における第２の開口部１２の後方位置にも、支持部材５０Ａと同様のサブスピーカ３０の磁気回路部３２を支持する支持部材５０Ｂが設けられている。
【００４３】
上記実施の形態（３）に係るスピーカ装置１Ｂによれば、支持部材５０Ａによりメインスピーカ２０の磁気回路部２２が第１の空間１４内で支持され、また支持部材５０Ｂによりサブスピーカ３０の磁気回路部３２が第１の空間１４内で支持されることとなり、各スピーカ２０、３０の磁気回路部２２、３２が支持されていない場合にスピーカの振動板の振幅動作に伴い発生する磁気回路部の振動を低減することができ、各スピーカ２０、３０の振動板から空気へのエネルギ伝達効率の低下を防止することができ、音質の特性（音の過渡特性）を向上させることができる。なお、支持部材５０Ａ、５０Ｂの重量を、それぞれメインスピーカ２０、サブスピーカ３０の重量の２倍以上とすることにより上記効果を一層高めることができる。
また、緩衝部材４１、４２により、メインスピーカ２０、サブスピーカ３０の磁気回路部２２、３２からキャビネット１０へ伝わる振動を大幅に低減することができ、キャビネット１０の振動による音質の低下を防止することができる。
【００４４】
図５は実施の形態（４）に係るスピーカ装置を模式的に示した側面断面図である。但し、図２に示したスピーカ装置１Ａと同一機能を有する構成部品には同一符号を付して、その説明を省略することとする。
【００４５】
半楕円球形状をしたキャビネット１０Ａ前面には、メインスピーカ２０を配設する第１の開口部１１と、サブスピーカ３０を配設する第２の開口部１２とが段差を有して形成されており、第１の開口部１１と第２の開口部１２とが第１の空間１４を隔てて配置されるように形成されている。そして、メインスピーカ２０とサブスピーカ３０とには、同じ音響信号が逆相で供給されるようにアンプの出力端子が接続されるようになっている。
【００４６】
また、キャビネット１０Ａの第１の開口部１１内壁部とメインスピーカ２０のフレーム外周部との間、及びキャビネット１０Ａの第２の開口部１２内壁部とサブスピーカ３０のフレーム外周部との間に、それぞれ断面Ｌ字形の環状の緩衝部材４０が介装されている。
【００４７】
また、キャビネット１０Ａは、第１の開口部１１に配設されたメインスピーカ２０を外方向に向けて配置するための開口部１５を有し、第１の開口部１１を除くキャビネット１０Ａ全体を第２の空間１６を隔てて覆う略楕円球状をしたキャビネット１７内に収容されるようになっている。
【００４８】
キャビネット１７の第２の空間１６内における所定位置には、キャビネット１０Ａを支持する支持部材６０が設けられている。支持部材６０は、図４に示したスピーカの磁気回路部を支持する支持部材５０Ａをキャビネット１０Ａ支持用に形成されたものであり、支持部材６０は、例えば金属等から形成され、キャビネット１０Ａを嵌め込むための嵌込孔６１が形成された嵌め込み部６２と、嵌め込み部６２から延設された３本の角柱状の支柱６３とから構成されており、嵌め込み部６２の嵌込孔６１の内壁には、緩衝部材４０と同じ機能を有する緩衝部材４３が設けられるようになっている。
【００４９】
また、各支柱６３の先端面は、緩衝部材４０と同じ機能を有する緩衝部材４４を介してキャビネット１７内壁に固定されるようになっている。また、キャビネット１０Ａの第１の開口部１１とキャビネット１７の開口部１５との間にも、緩衝部材４０と同じ機能を有する環状の緩衝部材４５が介装されている。
また、キャビネット１７の底面略中央部分には、スタンド１９が接続されている。
【００５０】
このようなスピーカ装置１Ｃにおいて、メインスピーカ２０とサブスピーカ３０とに同じ音響信号が逆相で供給されると、第１の空間１４内の圧力変化が生じないようにメインスピーカ２０とサブスピーカ３０とが駆動されるとともに、キャビネット１７前面からは、メインスピーカ２０からのみ音が出力され、サブスピーカ３０から出力された音は、キャビネット１７内で位相が反転されてポート１８から出力される。
【００５１】
また、スピーカ装置１Ｃでは、メインスピーカ２０からキャビネット１０Ａへ伝わる振動と、サブスピーカ３０からキャビネット１０Ａへ伝わる振動との位相が逆になっているので、各スピーカ２０、３０からの振動がキャビネット１０Ａを伝わる段階で相殺され、キャビネット１０Ａに伝達された振動が即座に消滅することとなり、さらに、支持部材６０によりキャビネット１０Ａが緩衝部材４３を介してキャビネット１７内に支持されることにより、キャビネット１０Ａの振動がキャビネット１７へ一層伝わりにくくなり、キャビネット１７の不要振動による音質低下が防止される。
【００５２】
上記実施の形態（１）〜（３）に係るスピーカ装置では、メインスピーカ２０から出力される音と、サブスピーカ３０から出力される音との位相が逆になっているので、特に指向性の広い低音域においては音が打ち消されてしまうこともあるが、上記実施の形態（４）に係るスピーカ装置１Ｃによれば、キャビネット１７によりメインスピーカ２０が配設される第１の開口部１１を除くキャビネット１０Ａ全体が第２の空間１６を隔てて覆われる構成となっているので、前面に対してはメインスピーカ２０からのみ音が出力され、サブスピーカ３０の前面から出た音は、キャビネット１７内で位相を反転させて出力されることなり、低音再生限度の拡大を図ることができる。
また、支持部材６０によりキャビネット１０Ａがキャビネット１７内に支持され、緩衝部材４３、４４により、キャビネット１０Ａの振動がキャビネット１７へ伝わるのを防止することができ、キャビネット１７の不要振動による音質低下を防止することができる。
【００５３】
図６は実施の形態（５）に係るスピーカ装置を模式的に示した側面断面図である。但し図２に示したスピーカ装置１Ａと同一機能を有する構成部品には同一符号を付して、その説明を省略することとする。
【００５４】
断面視略コ字形状をした円筒形状のキャビネット１０Ｂ両端面には、メインスピーカ２０を配設する第１の開口部１１と、サブスピーカ３０を配設する第２の開口部１２とが形成されており、第１の開口部１１と第２の開口部１２とが第１の空間１４を隔てて配置されるように形成されている。メインスピーカ２０とサブスピーカ３０とには、同じ音響信号が逆相で供給されるようにアンプの出力端子が接続されるようになっている。
【００５５】
また、キャビネット１０Ｂの第１の開口部１１内壁部とメインスピーカ２０のフレーム外周部との間、及びキャビネット１０Ｂの第２の開口部１２内壁部とサブスピーカ３０のフレーム外周部との間に、断面凹形状の環状の緩衝部材４０ａが介装されている。
【００５６】
また、図中７０は、キャビネットを示しており、略箱形状をしたキャビネット７０の上面後方位置にはキャビネット１０Ｂを配設するための円形の開口部７１が形成されている。キャビネット７０の開口部７１には、第１の開口部１１に配設されたメインスピーカ２０を含むキャビネット１０Ｂ上部が環状の緩衝部材４６を介装させて露出するように配置され、キャビネット７０内には、サブスピーカ３０を含むキャビネット１０Ｂ下部が、第４の空間７２を隔てて配設されるようになっている。
【００５７】
上記実施の形態（５）に係るスピーカ装置１Ｄによれば、上記実施の形態（４）に係るスピーカ装置１Ｃと略同様の効果を得ることができるとともに、支持部材６０等が必要なく、キャビネット１０Ｂとキャビネット７０とを簡単に組み付けることができる。
【００５８】
図７は実施の形態（６）に係るスピーカ装置を模式的に示した側面断面図である。但し図２に示したスピーカ装置と同一機能を有する構成部品には同一符号を付して、その説明を省略する。
【００５９】
半楕円球形状をしたキャビネット１０Ｃ前面には、メインスピーカ２０を配設する第１の開口部１１と、サブスピーカ３０を配設する第２の開口部１２とが段差を有して形成されており、第１の開口部１１と第２の開口部１２とが第１の空間１４を隔てて配置されるように形成されている。メインスピーカ２０とサブスピーカ３０とには、同じ音響信号が逆相で供給されるようにアンプの出力端子が接続されるようになっている。
【００６０】
また、キャビネット１０Ｃの第１の開口部１１内壁部とメインスピーカ２０のフレーム外周部との間、及びキャビネット１０Ｃの第２の開口部１２内壁部とサブスピーカ３０のフレーム外周部との間に、それぞれ断面凹形状の環状の緩衝部材４０ａが介装されている。
【００６１】
また、キャビネット１０Ｃの下方には、キャビネット１０Ｃの第２の開口部１２の前方から後方にわたる第４の空間７４を有するキャビネット７３が設けられており、第４の空間７４の容積が第１の空間１４の容積と同じになるように形成されている。また、キャビネット７３の後方は開放部７５となっている。
【００６２】
上記実施の形態（６）に係るスピーカ装置１Ｅによれば、第４の空間７４の容積が第１の空間１４の容積と同容積となるように形成されているので、サブスピーカ３０に作用していた背圧負荷をなくすことができ、よりリアルにスピーカを駆動させることができる。
なお、上記実施の形態（６）では、同一の空間容積を有する２つのキャビネット１０Ｃ、７３とによりスピーカ装置１Ｅを構成するようになっているが、別の実施の形態では、同一容積となるように２つの空間が内部で区切られた１つのキャビネットにより構成することもできる。
【図面の簡単な説明】
【図１】本発明の実施の形態（１）に係るスピーカ装置を模式的に示した側面断面図である。
【図２】実施の形態（２）に係るスピーカ装置を模式的に示した側面断面図である。
【図３】実施の形態（３）に係るスピーカ装置を模式的に示した側面断面図である。
【図４】実施の形態（３）に係るスピーカ装置の支持部材を模式的に示した図であり、（ａ）は正面図、（ｂ）は側面図である。
【図５】実施の形態（４）に係るスピーカ装置を模式的に示した側面断面図である。
【図６】実施の形態（５）に係るスピーカ装置を模式的に示した側面断面図である。
【図７】実施の形態（６）に係るスピーカ装置を模式的に示した側面断面図である。
【図８】従来のスピーカ装置を模式的に示した側面断面図である。
【図９】従来の別のスピーカ装置を模式的に示した側面断面図である。
【符号の説明】
１、１Ａ〜１Ｅ  スピーカ装置
１０、１０Ａ〜１０Ｃ  キャビネット
１１、１２  開口部
１４  第１の空間
２０  メインスピーカ
３０  サブスピーカ
【図１】
2004343286.tif 000003
【図２】
2004343286.tif 000004
【図３】
2004343286.tif 000005
【図４】
2004343286.tif 000006
【図５】
2004343286.tif 000007
【図６】
2004343286.tif 000008
【図７】
2004343286.tif 000009
【図８】
2004343286.tif 000010
【図９】
2004343286.tif 000011